(57)【要約】　　　（修正有）【課題】重量が比較的重い回路部品の基板に対する配置位置を考慮することにより、基板の反りを低減することのできるプリント配線板等を提供する。【解決手段】第１の所定幅を有する部分Ｌ１およびこの部分に隣接して設けられ、第１の所定幅よりも幅狭に形成された第２の所定幅Ｌ２を有する部分を有してなる基板本体１５に基板本体の前記第２の所定幅の部分に設けられた巻線部品等の比較的重い回路部品を配置する。【選択図】図４
2004127960.tif 000002
【特許請求の範囲】
【請求項１】
第１の所定幅を有する部分およびこの部分に隣接して設けられ、第１の所定幅よりも幅狭に形成された第２の所定幅を有する部分を有してなる基板本体と；
基板本体の前記第２の所定幅の部分に設けられた巻線部品等の比較的重い回路部品と；
を具備したことを特徴とするプリント配線板。
【請求項２】
ケース体と；
請求項１記載のプリント配線板の長手方向の端部に端子台を実装するとともに中間部に他の回路部品を実装してなり、前記端子台を前記ケース体外に配置して前記ケース体に収められた回路モジュールと；
を具備していることを特徴とする放電灯点灯装置。
【請求項３】
シャーシと；
シャーシに取付けられた請求項２記載の放電灯点灯装置と；
シャーシに取付けられたランプソケットと；
ランプソケットに取外し可能に支持されて前記放電灯点灯装置で点灯される放電灯と；
を具備していることを特徴とする照明器具。
【発明の詳細な説明】
【０００１】
【発明の属する技術分野】本発明は、各種の回路を構成する回路モジュールが備えるプリント配線板、この放電灯点灯回路をなす回路モジュールを備えて放電灯を点灯させる放電灯点灯装置、およびこの点灯装置を備えた放電灯照明器具等の照明器具に関する。
【０００２】
【従来の技術】電子式の放電灯点灯装置が備えるプリント配線板は、複数の基板が一枚の大きな基板上に設けられた基板集合体から切り出して得ている。この切り出しを容易にするために、基板集合体にはその長手方向に延びる複数のスリットを直線状に並べて形成されるスリット列が設けられている（例えば、特開平８−２５０９００号公報参照。）。各スリット列のスリットは、いずれも各部同じ幅（スリット幅）であって、この幅は、ルータと通称される回転式切断具の径より僅かに大きく設定されている。
【０００３】
この基板集合体における各スリット間のつなぎ部分を、以下の手順で切断することにより、基板集合体の幅方向に隣接したスリット列間の部分を、回路部品が実装される定寸のプリント配線板として得ている。
【０００４】
つなぎ部分の切断は、スリット列の列方向に隣接するスリットの内の一方のスリットに、回転駆動状態の切断具を挿入した後に、この切断具を他方のスリットの隣接端に向けて移動することにより行なわれる。この場合、切断具は前記つなぎ部分を削って切断するので、得られた定寸のプリント配線板の両側縁は、直線状に形成される。なお、微視的には、スリット幅と切断具の直径とのクリアランス分に相当する僅かな凸部が、前記つなぎ部分があった位置に設けられる場合がある。
【０００５】
【特許文献１】特開平８−２５０９００号公報（第２頁、図５）。
【０００６】
【発明が解決しようとする課題】基板集合体に設けられる各スリットには、切断具がある程度余裕をもって通るようにする必要があるので、各スリットのスリット幅は、切断具の直径に例えば０．１ｍｍ程度の寸法を加味した大きさに設定されている。そのため、基板集合体からプリント配線板を多面取りする場合には、各スリットのスリット幅が広いことに応じて基板集合体の外形が大きくなることに伴い、この基板集合体から切断して得るプリント配線板がコスト高となっている。
【０００７】
スリット列が設けられた基板集合体の反りに対する剛性は、スリットの数および前記つなぎ部分の長さ（スリット間距離）で決まる。そのため、スリットの長さが長く、かつスリット数が多くなるほど、前記つなぎ部分が少なくかつその距離が短くなるので、基板集合体の反りに対する剛性は低下する。
【０００８】
剛性が低い基板集合体は、それに回路部品を仮付けして半田槽等に搬送する際に、重量が重い回路部品により反り易い。又、基板集合体に仮付けされた回路部品をフロー半田付けする際に、基板集合体の下側から加えられる熱によって、基板集合体が反り易い。こうした反りは、半田付け不良の原因となるので、抑制することが望まれている。
【０００９】
そこで、本発明は、重量が比較的重い回路部品の基板に対する配置位置を考慮することにより、基板の反りを低減することのできるプリント配線板、このプリント配線板を有する放電灯点灯装置、およびこの放電灯点灯装置を用いた照明器具を提供することを目的とするものである。
【００１０】
【課題を解決するための手段】請求項１記載の発明は、第１の所定幅を有する部分およびこの部分に隣接して設けられ、第１の所定幅よりも幅狭に形成された第２の所定幅を有する部分を有してなる基板本体と；基板本体の前記第２の所定幅の部分に設けられた巻線部品等の比較的重い回路部品と；を具備したことを特徴とする。
【００１１】
請求項２記載の発明は、ケース体と；請求項１記載のプリント配線板の長手方向の端部に端子台を実装するとともに中間部に他の回路部品を実装してなり、前記端子台を前記ケース体外に配置して前記ケース体に収められた回路モジュールと；を具備していることを特徴とする。
【００１２】
請求項３記載の発明は、シャーシと；シャーシに取付けられた請求項２記載の放電灯点灯装置と；シャーシに取付けられたランプソケットと；ランプソケットに取外し可能に支持されて前記放電灯点灯装置で点灯される放電灯と；を具備していることを特徴とする。
【００１３】
【発明の実施の形態】以下、図１〜図４を参照して本発明の一実施形態を説明する。図１に示す照明器具１は、下面が開放した細長い箱状のシャーシ２を備え、このシャーシ２の下面は反射板３で塞がれている。シャーシ２の長手方向両端部にはランプソケットとして例えば蛍光ランプソケット４が夫々取付けられ、これらソケット４は反射板３の長手方向両端部を貫通している。シャーシ２内にはいわゆる電子安定器と称される放電灯点灯装置５が収容されている。この点灯装置５により点灯される放電灯としての直管形蛍光ランプ６が、その長手両端を夫々ランプソケット４に取外し可能に接続支持されて反射板３の下側に配置されている。
【００１４】
図２に示す放電灯点灯装置５は、ケース体１１と、回路モジュール１２とを具備している。ケース体１１は、アルミニューム合金製のベースケース１３およびカバーケース１４とを連結して細長い箱形容器状に形成されている。回路モジュール１２は、その長手方向両端部を除いてケース体１１に収められている。回路モジュール１２は、これをくるむように設けられる図示しない絶縁シートでケース体１１から電気的に絶縁されていて、インバータ制御により電力変換を行なって蛍光ランプ６の点灯制御をするものである。
【００１５】
ベースケース１３の長手方向両端部には夫々固定孔１３ａ（一方のみ図示）が開けられている。これら固定孔１３ａに通される図示しないねじをシャーシ２にねじ込むことにより、放電灯点灯装置５は図２で示す姿勢とは上下逆様の姿勢でシャーシ２に取付けられる。この取付け状態ではベースケース１３がシャーシ２の内面に接触して、放電灯点灯装置５の熱をシャーシ２に放出できる。
【００１６】
カバーケース１４はベースケース１３より短く、それにより回路モジュール１２の長手方向両端部を、ケース体１１の長手方向両端部に露出させている。図２中１４ａはカバーケース１４の長手方向の両端部を折り曲げてなる端板（一方のみ図示）を示していて、この端板１４ａを境に回路モジュール１２の長手方向の端部が露出されている。
【００１７】
回路モジュール４は、プリント配線板１５と、この配線板１５の少なくとも一面に実装された多数の回路部品１６と、入力側端子台１７と、出力側端子台１８とを備えている。端子台１７、１８はケース体１１から露出されたプリント配線板１５の長手方向両端部に個別に実装されている。端子台１７には図示しない電源供給用電線が差し込み接続される。出力側端子台１８には図示しない器具内配線用電線が差込み接続される。
【００１８】
プリント配線板１５は、第１の所定幅を有する部分Ｌ１およびこの部分に隣接して設けられ、第１の所定幅よりも幅狭に形成された第２の所定幅を有する部分Ｌ２を有してなる基板本体１５で形成されている。第１の所定幅と第２の所定幅の差異は、ごく僅かである。そして、基板本体の前記第２の所定幅の部分（図３で示すつなぎ部分２１ｄ）には、巻線部品等の比較的重い回路部品Ａが設けられている。なお、回路部品Ａの一部は第１の所定幅を有する部分Ｌ１に跨って実装されていてもよい。また、プリント配線板１５の一面を各種回路部品１６等の部品実装面とした硬質な絶縁基板と、この他面に積層された銅箔パターン等からなる配線層と、この配線層を覆った半田レジスト層とを有している。したがって、本実施形態のプリント配線板１５は片面実装形であるが、これに限らず、本発明では両面実装形のプリント配線板や多層プリント配線板等も使用できる。多数の回路部品１６と配線層とは蛍光ランプ６の点灯を制御するための点灯回路を形成している。各回路部品１６が実装されたプリント配線板１５の一面は、その長手方向両端部を除いてカバーケース１４で覆われている。
【００１９】
このプリント配線板１５は、図３に例示した多面取り用の基板集合体２１から定尺（所定寸法）に切出して得られる。基板集合体２１の両側部には、この基板集合体２１の長手方向に延びるスリット列２２が夫々設けられていると共に、中間部にもこの基板集合体２１の長手方向に延びる１以上のスリット列２３が設けられている。一対のスリット列２２は、複数例えば４つのスリット２２ａ〜２２ｄを一定間隔で直線状に並べて形成されている。同様に、中間位置のスリット列２３も、複数例えば４つのスリット２３ａ〜２３ｄを一定間隔で直線状に並べて形成されている。
【００２０】
基板集合体２１におけるスリット列２２と基板集合体２１の両側縁２１ａとの間は、スクラップ領域２１ｂとして仕切られている。基板集合体２１におけるスリット列２２、２３間、およびスリット列２３相互間は、夫々配線板領域２１ｃとして仕切られている。基板集合体２１の幅方向に隣接するスクラップ領域２１ｂと配線板領域２１ｃとは、スリット列２２の各スリット２２ａ〜２２ｄ間のつなぎ部分２１ｄを介して一体に連続している。同様に、基板集合体２１の幅方向に隣接する配線板領域２１ｃ同士も、スリット列２３の各スリット２３ａ〜２３ｄ間のつなぎ部分２１ｄを介して一体に連続している。尚、図３中２１ｅはスリット溝を示し、これらは各スリット列２２、２３の延長線上に位置して基板集合体２１の両端に開放して夫々設けられている。上記つなぎ部分２１ｄには、点線で示す巻線部品等の比較的重い回路部品Ａが設けられている。
【００２１】
前記構成の基板集合体２１は、図示しない加工機を用いて、各スリット列２２、２３およびスリット溝２１ｅを設けるスリット形成工程を得て作られる。この場合、基板集合体２１には、既に配線層および半田レジスト層が設けられているとともに、部品実装面には、回路部品１６および端子台１７、１８等の実装部品の配置を指定するため等のシルク印刷（図示しない）が施されている。又、このスリット形成工程と前後して基板集合体２１には実装部品を取付けるために必要な部品取付け孔等が開けられる。
【００２２】
この加工後に基板集合体２１に対しては、その配線板領域２１ｃの夫々に所定の回路部品１６および端子台１７、１８が、手作業又は自動機で仮止め状態に組付けられてから、フロー半田付けが半田レジスト層側から施される。これらの実装部品の仮付け、および半田付けするための基板集合体２１の搬送は、図３に示したスクラップ領域２１ｂの両端に設けた孔２１ｆ等を利用し、スクラップ領域２１ｂで両端支持して行なわれる。
【００２３】
半田付け後には、以下説明する切断工程により、基板集合体２１の各配線領域２１ｃを分離独立させてプリント配線板１５とする切断処理が施される。この切断は、ルータと通称される回転式の切断具２８を備える切断自動機械を用いてなされる。切断具２８は円柱の外周面に砥石が付着された回転カッターである。この切断自動機械で、回転状態の切断具２８を基板集合体２１に対し図３中矢印方向に沿って移動させることによって、各つなぎ部分２１ｄを切断してプリント配線板１５が作られる。
【００２４】
この場合、切断具２８は、各スリット２２ａ〜２２ｄ、２３ａ〜２３ｄを逃げて各つなぎ部分２１ｄだけを切断する。両端位置のスリット２２ａ、２２ｄ、２３ａ、２３ｄとスリット溝２１ｅとの間の端側つなぎ部分２１ｇは切断具２８の切断対象外であり、これら端側つなぎ部分２１ｇは、手作業などにより折り曲げることで容易に切断される。それにより、最終的に回路部品１６等の実装部品が実装済みのプリント配線板１５が分離れる。
【００２５】
こうして分離されたプリント配線板１５は図４に示され、この配線板１５は縦横寸法とも定尺に仕上げられている。尚、図４（Ａ）では実装された実装部品及び印刷された情報等は説明の都合上省略してある。このプリント配線板１５の両側縁１５ｃの夫々には、図４（Ｂ）に示すように切断具２８によって研削された複数の切断加工面１５ａと、この加工面１５ａの一端に隣接する凹部１５ｂとが、側縁１５ｃが延びる方向に沿って所定間隔ごとに設けられている。
【００２６】
各スリット列２２、２３に含まれる各つなぎ部分２１ｄである第２の所定幅部分Ｌ２に比較的重量の重い回路部品Ａを配置したので、スリット２２部分に相当する第１の所定幅の部分Ｌ１に配置した場合に比較して、スクラップ領域２１ｂの両端に設けた孔２１ｆ等を利用し、スクラップ領域２１ｂで両端支持して行なわれるても撓みを低減できる。すなわち、基板集合体２１の反りに対する剛性を向上できる。そのため、基板集合体２１の搬送やフロー半田付けの際、基板集合体２１の反りが抑制され、それに従って半田付け不良が抑制されるので、回路モジュール１２の品質を向上できる。
【００２７】
【発明の効果】請求項１記載の発明によると、基板集合体におけるつなぎ部に該当する基板本体の第２の所定幅の部分に、巻線部品等の比較的重い回路部品を配置したので、基板集合体における反りに対する剛性を向上させてこれに起因する半田付け不良を低減することができる。
【００２８】
請求項２の発明によれば、半田付け品質が高い請求項１のプリント配線板を備えているので、それに応じて高品質でかつ安価な放電灯点灯装置を提供できる。
【００２９】
請求項３の発明によれば、半田付け品質が高いプリント配線板を含む請求項２の放電灯点灯装置を備えているので、それに応じて、高品質な照明器具を提供できる。
【図面の簡単な説明】
【図１】本発明の一実施形態に係る照明器具を一部断面して示す側面図。
【図２】図１の照明器具が備える本発明の一実施形態に係る放電灯点灯装置を示す斜視図。
【図３】図２の放電灯点灯装置が備えるプリント配線板が多面取りされる基板集合体に複数のスリット列が設けられた状態を示す平面図。
【図４】（Ａ）は本発明の一実施形態に係るプリント配線板を示す平面図、（Ｂ）は図４（Ａ）中Ｙ部を拡大して示す図。
【符号の説明】１…照明器具、２…シャーシ、４…ランプソケット、５…放電灯点灯装置、６…蛍光ランプ（放電灯）、１１…ケース体、１２…回路モジュール、１５…プリント配線板、１５ａ…切断加工面、１５ｂ…凹部、１６…回路部品、１７、１８…端子台、２１…基板集合体、２１ｃ…基板集合体の配線板領域、２１ｄ…つなぎ部分、２２、２３…スリット列、２２ａ〜２２ｄ、２３ａ〜２３ｄ…スリット。
【図１】
2004127960.tif 000003
【図２】
2004127960.tif 000004
【図３】
2004127960.tif 000005
【図４】
2004127960.tif 000006